(57)【要約】【課題】利用者に不要な情報が配信されないような情報配信システムおよび情報配信管理装置を提供し、利用者の不快感を解消させること。【解決手段】移動体１に設けられ移動局固有情報１０５を保持し発信可能な移動局装置２と、移動局装置２との間で無線通信により移動局固有情報を受信するとともに基地局固有情報１１０を発信可能な基地局装置５と、基地局装置５から移動局固有情報１０５と基地局固有情報１１０を受信し、移動局固有情報毎に設定された配信条件１２３に基づき情報を作成する配信情報管理装置１０と、作成された情報を配信する配信装置１１とを備える。配信条件１２３には、移動局固有情報毎に配信する情報の種別と配信回数の上限値を設定する。【選択図】図２
2006345040.tif 000002
【特許請求の範囲】
【請求項１】
基地局の設置された位置に関連する情報を配信装置から端末に配信する情報配信システムにおいて、
上記基地局と無線通信可能な領域を移動する移動体に設けられ、自装置の移動局固有情報を保持し発信可能な移動局装置と、
上記基地局に設けられ、上記移動局装置との間で無線通信により上記移動局固有情報を受信するとともに、自装置の基地局固有情報を発信可能な基地局装置と、
該基地局装置から上記移動局固有情報と上記基地局固有情報を受信し、該移動局固有情報毎に設定された配信条件と該基地局固有情報に基づき、上記基地局の設置された位置に関連する情報を作成する配信情報管理装置と、
該配信情報管理装置にて作成された情報を上記移動局固有情報毎に設定された配信先の端末に配信する配信装置と、
を備えたことを特徴とする情報配信システム。
【請求項２】
基地局が設置された位置に関連する情報を配信装置から端末に配信する情報配信システムにおける情報配信管理装置であって、
上記基地局と無線通信可能な領域を移動する移動体に設けられた移動局装置から発信される該移動局装置の移動局固有情報と、上記基地局に設けられた基地局装置から発信される該基地局装置の基地局固有情報とを入力する入力手段と、
上記基地局の設置された位置に関連する情報と、上記移動局固有情報毎に設定された情報の配信条件とを保持する記憶手段と、
上記入力手段から入力した基地局固有情報に基づき基地局の設置された位置に関連する情報を特定すると共に、上記記憶手段を参照し、上記入力した移動局固有情報に対し設定されている上記配信条件に従って、上記配信装置から配信する情報を作成する配信情報生成手段と、
を備えたことを特徴とする情報配信管理装置。
【請求項３】
請求項２記載の情報配信管理装置において、
前記記憶手段には、さらに、配信済の情報の内容とその配信先に関する配信履歴情報を保持し、
前記配信情報生成手段は、前記配信条件と上記配信履歴情報とを参照して、配信する情報を作成すると共に、情報を配信した際、該配信履歴情報を更新することを特徴とする情報配信管理装置。
【請求項４】
請求項２記載の情報配信管理装置において、
端末から入力された登録情報を受信し、前記記憶手段に保持されている配信条件を新規に設定または更新する配信条件書換手段を備えることを特徴とする情報配信管理装置。
【請求項５】
請求項２ないし４のいずれか１項記載の情報配信管理装置において、
前記配信条件には、前記移動局固有情報毎に配信する情報の種別と配信回数の上限値を設定することを特徴とする情報配信管理装置。
【発明の詳細な説明】
【技術分野】
【０００１】
本発明は、車両等の移動体と基地局装置との間の通信に基づく情報配信システムおよび情報配信管理装置に関する。
【背景技術】
【０００２】
従来、安全性、輸送効率及び快適性の向上などを目指したサービスを実現するため、道路と車両を一体のシステムとした高度道路交通システム（ＩＴＳ：Ｉｎｔｅｌｌｉｇｅｎｔ  Ｔｒａｎｓｐｏｒｔ  Ｓｙｓｔｅｍ）の開発が進められている。該高度交通システムでは、路上に設置される基地局装置と、車両に搭載される移動局装置との間で行う路車間の無線通信により、安全性、輸送効率、快適性などの向上を目指している。この無線通信は、狭域通信（ＤＳＲＣ：Ｄｅｄｉｃａｔｅｄ  Ｓｈｏｒｔ−Ｒａｎｇｅ  Ｃｏｍｍｕｎｉｃａｔｉｏｎ）と呼ばれ、赤外線、ミリ波、マイクロ波などの電波が用いられている。狭域通信は数ｍから数十ｍ程度の限定された範囲内での通信であり、車両がこの範囲を通過している場合にのみ通信を行うことができる。通常、車両は毎秒数ｍから数十ｍ程度の速度で道路を走行するため、走行中に特定の基地局装置との間で通信が行える時間は短く、数百ミリ秒から数秒程度である。このため、この時間内に伝送される情報量は限定される。この通信方式を利用して、例えば通行料金の決済や道路渋滞情報の提供などが行われる。
【０００３】
一方、従来から、一般公衆回線により特定の電話番号に対して接続を行い、音声情報を得ることや、一般公衆回線や専用線等の通信手段によりインターネットに接続し、情報サーバなどからサービス情報を取得することなどが行われている。情報を受信する情報端末としては、携帯電話やパーソナルコンピュータなどが用いられる。この通信方式では、通信可能エリアが広域であるため（広域通信）、使用する場所の限定も少なく、連続通信が可能となり伝送されるデータ量の制限も少ない。
【０００４】
また、特許文献１には、移動局から基地局に、狭域通信にて利用者のアドレス情報を送信し、情報センターから該アドレスの利用者端末に対して、広域通信にて地域情報などの情報を提供するシステムが提案されている。その際、移動局には端末の宛先情報である広域通信識別情報が、また基地局には基地局識別情報が保持されていて、情報センターではこれらの識別情報を受信して、送信先端末と配信用情報を特定して送信する。よって、利用者は、情報センターへの配信先端末の登録などの操作が不要となり、基地局識別情報に対応した地域情報などを取得することができることが述べられている。
【０００５】
【特許文献１】特開２００４−３２０８３号公報
【発明の開示】
【発明が解決しようとする課題】
【０００６】
上記特許文献１の技術によれば、利用者は自動的にその地域に関する情報を受信することができる。またその情報は、情報センターがその地域毎に配信する情報をテーブルを参照して特定するものである。その場合、利用者にとって不要な情報まで含めて配信されることになる。また、利用者が短時間内に１つの地域で行動すると、同一の情報が繰り返し配信される状況が発生する。これにより、利用者の負担する通信料の増加、通信トラフィックの増加、さらには利用者に不快感を与えることになる。このような課題に対し、上記特許文献１では考慮されていない。
【０００７】
本発明の目的は、上記課題に鑑み、利用者に不要な情報が配信されないような情報配信システムおよび情報配信管理装置を提供し、利用者の不快感を解消させることである。
【課題を解決するための手段】
【０００８】
本発明による情報配信システムは、移動体に設けられ自装置の移動局固有情報を保持し発信可能な移動局装置と、移動局装置との間で無線通信により移動局固有情報を受信するとともに自装置の基地局固有情報を発信可能な基地局装置と、基地局装置から移動局固有情報と基地局固有情報を受信し、移動局固有情報毎に設定された配信条件に基づき基地局の設置された位置に関連する情報を作成する配信情報管理装置と、配信情報管理装置にて作成された情報を配信先の端末に配信する配信装置とを備える。
【０００９】
本発明による情報配信管理装置は、移動局装置から発信される移動局固有情報と基地局装置から発信される基地局固有情報とを入力する入力手段と、基地局の設置された位置に関連する情報と移動局固有情報毎に設定された情報の配信条件とを保持する記憶手段と、記憶手段を参照し、入力した移動局固有情報に対し設定されている配信条件に従って、配信する情報を作成する配信情報生成手段とを備える。
【００１０】
さらに記憶手段には、配信済の情報の内容とその配信先に関する配信履歴情報を保持し、配信情報生成手段は、配信条件と配信履歴情報とを参照して、配信する情報を作成すると共に、情報を配信した際、配信履歴情報を更新する。
【００１１】
また、端末から入力された登録情報を受信し、記憶手段に保持されている配信条件を新規に設定または更新する配信条件書換手段を備える。
【００１２】
ここで配信条件として、移動局固有情報毎に配信する情報の種別と配信回数の上限値を設定する。
【発明の効果】
【００１３】
本発明によれば、不要な情報配信による利用者の通信料負担をなくし、利用者の不快感を解消する効果がある。
【発明を実施するための最良の形態】
【００１４】
以下、本発明の実施例について図面を用いて説明する。
【実施例１】
【００１５】
図１は、本発明による情報配信システムの一実施例を示すシステム概念図である。本実施例は、車両に搭載した移動局装置から基地局装置に、狭域の無線通信により、広域通信用の宛先情報として例えば電子メールのアドレス情報などを送信する。情報センターでは、該アドレス情報などを宛先として、広域通信網に接続された端末に地域情報等の配信情報を提供する構成である。例えば地域情報を市町村単位で提供する場合、基地局装置を市町村に多数台設置し、また複数の市町村に設置された基地局装置をカバーするよう１つの情報センターを配置するのが効率的である。
【００１６】
図１において、移動体としての車両１には、狭域通信用の移動局通信装置２が搭載される。道路３にはガントリー４が設置され、アンテナ６を介して基地局通信装置５と移動局通信装置２との間で、無線通信する。領域７は通信可能な範囲を示す。複数の基地局は基地局網８を介して、情報センター９に接続される。情報センター９には情報を保持して配信情報を作成する情報配信管理装置１０を備え、配信局１１へ情報の配信を依頼する。配信局１１は配信装置を有し、広域通信網１２を介して一般公衆回線等に接続されたパーソナルコンピュータなどの情報端末１５へ、または基地局１３を介して移動体通信の携帯端末１４へ情報を配信する。情報端末としては、この他にＰＤＡ（Ｐｅｒｓｏｎａｌ  Ｄｉｇｉｔａｌ  Ａｓｓｉｓｔａｎｃｅ）やカーナビゲーションなども可能である。
【００１７】
図２は、図１に示す情報配信システムにおける移動局通信装置（以下、移動局装置）２、基地局通信装置（以下、基地局装置）５、および情報センター９内の情報配信管理装置１０の内部構成の一例を示す図である。
【００１８】
まず移動局装置２には、アンテナ１０１、無線送受信部１０２、狭域通信制御手段１０３、識別情報保持手段１０４を備える。識別情報保持手段１０４には、移動局装置２の固有情報（移動局固有情報）１０５を保持する。狭域通信制御手段１０３は、識別情報保持手段１０４からの移動局固有情報１０５の読出しや出力を制御する。
【００１９】
基地局装置５には、アンテナ６に接続する無線送受信部１０６、狭域通信制御手段１０７、広域通信網１１を介して情報センター９の情報配信管理装置１０に接続するためのインターフェース１０８、識別情報保持手段１０９を備える。識別情報保持手段１０９には、基地局装置５の固有情報（基地局固有情報）１１０を保持する。
【００２０】
情報センター９の情報配信管理装置１０には、基地局網８を介し基地局装置５と接続するためのインターフェース１１１、配信情報生成手段１１２、配信局（配信装置）１１と交信を行う送受信手段１１３、記憶手段１１４を備える。記憶手段１１４には、地域情報などの各種の配信用情報群１２０と、移動局装置毎の移動局固有情報１２１、配信宛先情報１２２、配信設定情報１２３を記憶する。
【００２１】
車両１に搭載される移動局装置２は、例えば自動料金支払いシステム（ＥＴＣ：Ｅｌｅｃｔｒｏｎｉｃ  Ｔａｌｌ  Ｃｏｌｌｅｃｔｉｏｎ）に用いられる車載機等を用いる。移動局固有情報１０５は、例えば移動局装置２の製造番号や呼び出し符号、または情報配信先の宛先（電子メールのアドレス）そのものであってもよい。基地局装置５の通信領域７は、数ｍから数十ｍの範囲であり（狭域通信）、車両１に搭載された移動局装置２が基地局装置５の通信領域７内に進入した際に無線通信が行われ、移動局固有情報１０５を取得する。
【００２２】
基地局装置５は、取得した移動局固有情報１０５と、識別情報保持手段１０９に保持する基地局固有情報１１０とを情報センター９へ送る。
【００２３】
情報センター９の情報配信管理装置１０の記憶手段１１４に記憶される配信用情報群１２０は、各基地局装置５の位置情報、基地局装置５の属する地域の情報（店舗、行楽地、名跡など）、交通情報、工事情報、天気情報、ニュースなどであり、これらは情報の種別毎に分類され随時最新の情報に更新されて記憶されている。その際、移動局装置２を検出した基地局装置５から送られる基地局固有情報１１０を基に、移動局装置２の現在位置に対応した位置情報や地域情報を特定することができる。
【００２４】
また、記憶手段１１４に記憶される移動局固有情報１２１と配信宛先情報１２２には、例えば移動局（ユーザ）名と配信先となるユーザのメールアドレスを記述する。また配信設定情報１２３には、移動局（ユーザ）毎に、配信用情報群１２０に格納されている情報の種別毎の配信要否と、配信回数を記述する。配信回数は、１日や１週間などの一定期間内の情報配信回数（上限値）の設定や、同一情報の送信可否の設定もできる。これにより、例えば、交通情報は必要だが店舗の情報は不要、かつ配信情報のＥメールは１週間で２０通まで、などと指定できる。また、曜日により配信情報の種別を変更する設定なども可能である。
【００２５】
ここで用いられる配信用情報群１２０の形態は、文字、音声、画像、動画のいずれでもよいし、またはこれらの組み合わせや、Ｗｅｂ上に用意した情報へのＵＲＬでもよい。また、配信設定情報１２３の形態は、バイナリやテキストなどコンピューターで使えるどの形式のデータフォーマットでもよい。
【００２６】
図３は、記憶手段１１４に記憶する配信条件に関する情報１２１，１２２，１２３の一例を示す図である。このように、各ユーザ毎に配信する情報の種別およびその配信回数の条件を設定することができる。この条件は後述するように、各ユーザの希望により設定登録することができる。
【００２７】
配信情報生成手段１１２は、この配信設定情報１２３に指定される種別毎の配信要否と配信回数を参照し、これに従って配信用情報群１２０から配信情報を選択して生成する。
【００２８】
情報配信管理装置１０は、基地局装置５から受信した移動局固有情報１０５を、記憶手段１１４の移動局固有情報１２１と参照してユーザを特定する。そして、そのユーザに対する配信設定情報１２３を読み出し、その条件を満足するよう配信情報を生成する。さらにそのユーザに対する配信宛先情報１２２を参照し、記述された宛先情報と生成した配信情報を、送受信手段１１３を介して配信局（配信装置）１１に受け渡す。配信装置１１は受け取った配信情報を、広域通信網１２を介して指定された宛先の情報端末１４，１５へ配信する。
【００２９】
図４は、本実施例における情報配信の手順を示すフローチャート図である。情報配信管理装置１０は、基地局装置５から移動局固有情報（ユーザＩＤ）１０５を取得する（Ｓ２０１）。取得した移動局固有情報１０５と一致する移動局固有情報（ユーザＩＤ）１２１が記憶手段１１４に登録されているかどうか判定する（Ｓ２０２）。もし登録されていなければ、配信情報作成を終了する。登録されていれば、移動局固有情報１２１に関連付けて格納されている配信設定情報１２３を読み出す（Ｓ２０３）。読み出した配信設定情報１２３に配信条件が指定されているかどうか判定する（Ｓ２０４）．指定されている場合は、指定された条件に従って配信用情報群１２０から情報を選択し、配信情報を作成する（Ｓ２０６）。配信条件が指定されていない場合は、配信情報設定に関するデフォルト条件を読み出し（Ｓ２０５）、このデフォルト条件に従って配信情報を作成する（Ｓ２０６）。作成した情報は、配信宛先情報１２２で指定された送信先に配信する（Ｓ２０７）。ここにデフォルト条件は、情報配信システムの管理元の権限で予め設定しておくものであり、例えば情報の種別や配信回数に特に制限を設けないものとする。
【００３０】
本実施例の情報配信システムおよび情報配信管理装置によれば、各利用者が必要とする情報の種別や配信回数などの条件に従って配信情報を作成して配信する。よって、利用者にとって不要な情報の配信をなくし、利用者の通信料の増加や通信トラフィックの増加を軽減し、利用者の不快感を解消することができる。
【実施例２】
【００３１】
図５は、本発明による情報配信システムの内部構成の他の実施例を示す図である。本実施例は、情報配信管理装置１０の記憶手段１１４において、さらに配信済情報の履歴を記述した配信履歴情報１２４を保持する構成としたもので、他の構成は前記実施例１（図２）と同様である。
【００３２】
情報配信管理装置１０の配信情報生成手段１１２は、生成した配信情報を配信装置１１に送信する。配信装置１１は受け取った情報を情報端末に配信すると、配信結果として、配信した情報のタイトルや作成日時などの情報を配信情報生成手段１１２に返信する。配信情報生成手段１１２はそれを基に、記憶手段１１４の配信履歴情報１２４を更新する。
【００３３】
ここで配信履歴情報１２４は、移動局名（ユーザＩＤ）またはその指定した配信宛先毎に、過去の所定期間内に配信した情報の種別と回数などに関する情報である。その内容としては、例えば、配信した情報そのもの、情報のハッシュ値、情報の種別、情報のタイトル、情報の作成日時や、配信情報の元となる情報の作成日時などを、配信先端末の宛先毎に記録する。ここで配信履歴情報１２４の形態は、バイナリやテキストなどコンピューターで使えるどの形式のデータフォーマットでも良く、情報の内容やタイトルのハッシュデータなどでもよい。
【００３４】
本実施例では、配信履歴情報１２４を参照することで、どのユーザにどの情報が何回配信されたかを知ることができる。そして、配信済み回数を配信設定情報１２３に指定された回数と比較し、指定回数に達したらその後の配信を中止し、また同一の情報を繰り返し配信することを防ぐことができる。
【００３５】
さらに配信履歴情報１２４には、配信日時、配信時の移動局装置２の位置情報なども同時に記録する。これにより利用者の行動パターンに即した情報配信が可能となる。例えば週末になると行楽地へドライブする傾向の強い利用者に対して、休日前日に行楽地方面の天気予報や、渋滞予測、観光情報などを配信することができ、サービス向上となる。
【００３６】
図６は、本実施例における情報配信の手順を示すフローチャート図である。情報配信管理装置１０は、基地局装置５から情報配信要求を受けると、移動局固有情報（ユーザＩＤ）を取得する（Ｓ３０１）。記憶手段１１４から、取得した移動局固有情報１０５と一致する移動局固有情報（ユーザＩＤ）１２１を検索し、関連付けて格納されている配信履歴情報１２４と配信設定情報１２３を読み出す（Ｓ３０２）。配信しようとする情報が、読み出した配信履歴情報１２４と配信設定情報１２３の条件を満足するかどうかを判定する（Ｓ３０３）。もし、配信済回数が指定された回数に達していれば、その情報の配信を中止する。条件を満足していれば、配信設定情報１２３の条件に従って配信情報を作成し（Ｓ３０４）、配信装置１１から配信する（Ｓ３０５）。配信装置１１から配信結果の情報を受信し（Ｓ３０６）、配信履歴情報１２４を更新する（Ｓ３０７）。
【００３７】
本実施例では、配信結果の情報を配信装置１１から得るようにしている。よって、配信情報生成手段１１２の作成した配信情報を配信装置１１が正常に配信できなかった場合には、配信履歴情報１２４は更新されないので、より信頼性の高い配信履歴情報１２４を保持することができる。
【００３８】
本実施例によれば、配信済情報の履歴を記録し、新たに情報を配信する時に該配信履歴を参照することにより、同一の情報の繰り返し配信を防止し、また指定された配信回数を超えて配信することがない。よって、利用者の通信料の増加や通信トラフィックの増加を軽減することができ、利用者の不快感を解消することができる。
【実施例３】
【００３９】
図７は、本発明による情報配信システムの内部構成の他の実施例を示す図である。本実施例では、情報配信管理装置１０において、さらに記憶手段１１４の保持する配信条件に関する情報１２１，１２２，１２３の内容を新規に設定または更新する配信条件書換手段１１５を設けた。また、配信局１１には、ユーザの入力した配信条件を受け付けるための配信条件登録手段１１６を設けた。他の構成は前記実施例１（図２）と同様である。
【００４０】
配信条件登録手段１１６としては、例えばインターネット上のＷｅｂページを表示するＷｅｂサーバやＥメールを受信するメールサーバなどを利用することができる。ユーザは、パーソナルコンピュータ、携帯電話、カーナビゲーションなどの情報端末１４，１５からＷｅｂアクセス、Ｅメール送信などで希望する配信条件を登録する。これ以外にも、サービスエリアや道の駅、ガソリンスタンドなどに設置された専用端末（ＤＳＲＣ端末）などから登録することも可能である。
【００４１】
情報配信管理装置１０の配信条件書換手段１１５は、通信網を介して配信条件登録手段１１６からの登録情報を受信し、移動局固有情報１２１とこれに関連付けて管理される配信宛先情報１２２、配信設定情報１２３などを書き換える。特に配信設定情報１２３を書き換えることで、ユーザは配信条件（情報種別毎の配信要否や、同一情報の送信可否など）を随時変更することができる。
【００４２】
図８は、本実施例における配信条件を登録する手順を示すフローチャート図である。配信条件書換手段１１５は、ユーザの移動局固有情報（ユーザＩＤ）１０５とユーザの入力した配信条件を配信条件登録手段１１６を経由して受信する（Ｓ４０１）。そして記憶手段１１４を検索し、受信した移動局固有情報１０５が登録されているかどうか判定する（Ｓ４０２）。登録されていれば、その移動局固有情報１２１に関連付けて格納されている配信宛先情報１２２と配信設定情報１２３を読み出し、受信した新しい配信条件にて更新する（Ｓ４０３）。登録されていなければ、新規に受信した移動局固有情報１２１、配信宛先情報１２２、配信設定情報１２３を登録する（Ｓ４０４）。
【００４３】
本実施例によれば、情報配信の新規登録や配信条件の変更設定に関して、ユーザの情報端末や携帯電話、またはサービスエリアなどに設置された専用端末などから容易に登録することができ、利用者の利便性を向上させることができる。
【図面の簡単な説明】
【００４４】
【図１】本発明による情報配信システムの一実施例を示すシステム概念図。
【図２】図１に示す情報配信システムの内部構成の一例を示す図。
【図３】記憶手段１１４に記憶する配信条件に関する情報の一例を示す図。
【図４】図２における情報配信の手順を示すフローチャート図。
【図５】本発明による情報配信システムの内部構成の他の実施例を示す図。
【図６】図５における情報配信の手順を示すフローチャート図。
【図７】本発明による情報配信システムの内部構成の他の実施例を示す図。
【図８】図７における配信条件を登録する手順を示すフローチャート図。
【符号の説明】
【００４５】
２…移動局装置、５…基地局装置、１０…情報配信管理装置、１１…配信局（配信装置）、１４，１５…情報端末、１０５…移動局固有情報、１１０…基地局固有情報、１１２…配信情報生成手段、１１４…記憶手段、１１５…配信条件書換手段、１２０…配信用情報群、１２１…移動局固有情報、１２２…配信宛先情報、１２３…配信設定情報、１２４…配信履歴情報。
【図１】
2006345040.tif 000003
【図２】
2006345040.tif 000004
【図３】
2006345040.tif 000005
【図４】
2006345040.tif 000006
【図５】
2006345040.tif 000007
【図６】
2006345040.tif 000008
【図７】
2006345040.tif 000009
【図８】
2006345040.tif 000010